【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
検出面に沿って、Ｙ方向に所定の間隔を隔ててＹ方向と直交するＸ方向に配線される複数の駆動電極Ｔｙと、
前記検出面に沿って、Ｘ方向に所定の間隔を隔ててＹ方向に配線され、それぞれ前記複数の駆動電極Ｔｙと絶縁間隔を隔てて交差する複数の検出電極Ｒｘと、
一定電圧の交流検出信号を出力する検出信号発信回路と、
前記交流検出信号を出力する前記駆動電極Ｔｙ毎に、その駆動電極Ｔｙに交差する複数の前記検出電極Ｒｘに表れる前記交流検出信号の信号感度Ｖ（ｘ、ｙ）を検出し、複数の前記駆動電極Ｔｙと複数の前記検出電極Ｒｘの各交点（ｘ、ｙ）の信号感度Ｖ（ｘ、ｙ）を検出する走査手段とを有する投影型静電容量式タッチパネルと、
前記投影型静電容量式タッチパネルの前記検出面上に配置され、絶縁体からなるノブ本体と、前記検出面に対向する前記ノブ本体の底面に沿って取り付けられる一組の電極と、前記一組の電極の上方の前記ノブ本体に取り付けられ、前記一組の電極間を電気接続する短絡電極とを有する操作ノブとを備え、
前記検出面上に前記操作ノブが配置されていない状態で、前記交点（ｘ、ｙ）について検出される信号感度Ｖ（ｘ、ｙ）を標準信号感度Ｖｓｔとして、前記一組の電極にそれぞれ近接する交点（ｘ、ｙ）の信号感度Ｖ（ｘ、ｙ）が前記標準信号感度Ｖｓｔ未満となることから、前記一組の電極の前記検出面上の第１位置Ｅ１（Ｐｘ１、ｐｙ１）と第２位置Ｅ２（ｐｘ２、ｐｙ２）を検出し、前記操作ノブの入力位置を検出するタッチパネル入力装置であって、
前記短絡電極は、操作者の指が触れる前記ノブ本体の表面に一部が露出して、前記ノブ本体に取り付けられ、
前記一組の電極間の長さは、前記検出面に沿って配線される複数の駆動電極Ｔｙ間の間隔及び複数の検出電極Ｒｘ間の間隔に比べて十分に長く、前記一組の電極が、少なくとも複数の駆動電極Ｔｙ若しくは複数の検出電極Ｒｘを跨ぐ間隔を隔てて前記ノブ本体に取り付けられ、
前記投影型静電容量式タッチパネルは、前記一組の電極の前記検出面上の第１位置Ｅ１（Ｐｘ１、ｐｙ１）と第２位置Ｅ２（ｐｘ２、ｐｙ２）を結ぶ直線がＸ方向若しくはＹ方向に傾斜している場合に、第１位置Ｅ１（Ｐｘ１、ｐｙ１）の近傍に配線された検出電極Ｒｘ１と第２位置Ｅ２（ｐｘ２、ｐｙ２）の近傍に配線された駆動電極Ｔｙ２との交点（ｘ１、ｙ２）の信号感度Ｖ（ｘ１、ｙ２）又は第２位置Ｅ２（ｐｘ２、ｐｙ２）の近傍に配線された検出電極Ｒｘ２と第１位置Ｅ１（Ｐｘ１、ｐｙ１）の近傍に配線された駆動電極Ｔｙ１との交点（ｘ２、ｙ１）の信号感度Ｖ（ｘ２、ｙ１）のいずれかが前記標準信号感度Ｖｓｔを超える場合に、前記短絡電極に操作者の指が触れていないと判定するタッチ判定部を有することを特徴とするタッチパネル入力装置。
【請求項２】
前記短絡電極は、前記一組の電極の鉛直方向の上方から前記検出面に平行な水平面に沿ってアーチ状で、前記検出面に投影させた形状が、前記検出面に沿って配線される複数の駆動電極Ｔｙを跨ぐ形状に形成されたアーチ状導電板を有することを特徴とする請求項１に記載のタッチパネル入力装置。
【請求項３】
前記短絡電極は、円環の直径に対称形状に形成された一組の前記アーチ状導電板からなる円環導電板を有することを特徴とする請求項２に記載のタッチパネル入力装置。
【請求項４】
検出面に沿って、Ｙ方向に所定の間隔を隔ててＹ方向と直交するＸ方向に配線される複数の駆動電極Ｔｙと、
前記検出面に沿って、Ｘ方向に所定の間隔を隔ててＹ方向に配線され、それぞれ前記複数の駆動電極Ｔｙと絶縁間隔を隔てて交差する複数の検出電極Ｒｘと、
一定電圧の交流検出信号を出力する検出信号発信回路と、
前記交流検出信号を出力する前記駆動電極Ｔｙ毎に、その駆動電極Ｔｙに交差する複数の前記検出電極Ｒｘに表れる前記交流検出信号の信号感度Ｖ（ｘ、ｙ）を検出し、複数の前記駆動電極Ｔｙと複数の前記検出電極Ｒｘの各交点（ｘ、ｙ）の信号感度Ｖ（ｘ、ｙ）を検出する走査手段とを有する投影型静電容量式タッチパネルと、
前記投影型静電容量式タッチパネルの前記検出面上に配置され、絶縁体からなるノブ本体と、前記検出面に対向する前記ノブ本体の底面に沿って取り付けられる一組の電極と、前記一組の電極の上方の前記ノブ本体に取り付けられ、前記一組の電極間を電気接続する短絡電極とを有する操作ノブとを備え、
前記検出面上に前記操作ノブが配置されていない状態で、前記交点（ｘ、ｙ）について検出される信号感度Ｖ（ｘ、ｙ）を標準信号感度Ｖｓｔとして、前記一組の電極にそれぞれ近接する交点（ｘ、ｙ）の信号感度Ｖ（ｘ、ｙ）が前記標準信号感度Ｖｓｔ未満となることから、前記一組の電極の前記検出面上の第１位置Ｅ１（Ｐｘ１、ｐｙ１）と第２位置Ｅ２（ｐｘ２、ｐｙ２）を検出し、前記操作ノブの入力位置を検出するタッチパネル入力装置であって、
前記短絡電極は、操作者の指が触れる前記ノブ本体の表面に一部が露出して、前記ノブ本体に取り付けられ、
前記一組の電極間の長さは、前記検出面に沿って配線される複数の駆動電極Ｔｙ間の間隔及び複数の検出電極Ｒｘ間の間隔に比べて十分に長く、前記一組の電極が、少なくとも複数の駆動電極Ｔｙ若しくは複数の検出電極Ｒｘを跨ぐ間隔を隔てて前記ノブ本体に取り付けられ、
前記投影型静電容量式タッチパネルは、第１位置Ｅ１（Ｐｘ３、ｐｙ３）と第２位置Ｅ２（ｐｘ５、ｐｙ３）が同一の駆動電極Ｔｙ３の近傍にあり、若しくは、第１位置Ｅ１（Ｐｘ６、ｐｙ４）と第２位置Ｅ２（ｐｘ６、ｐｙ６）が同一の検出電極Ｒｘ６の近傍にあり、いずれかの中間近傍の交点（ｘ４、ｙ３）の信号感度Ｖ（ｘ４、ｙ３）若しくは交点（ｘ６、ｙ５）の信号感度Ｖ（ｘ６、ｙ５）が前記標準信号感度Ｖｓｔを超える場合に、前記短絡電極に操作者の指が触れていないと判定するタッチ判定部を有することを特徴とするタッチパネル入力装置。
【請求項５】
前記短絡電極は、前記一組の電極の鉛直方向の上方から前記検出面に平行な水平面に沿ってアーチ状で、前記検出面に投影させた形状が、前記検出面に沿って配線される複数の駆動電極Ｔｙを跨ぐ形状に形成されたアーチ状導電板を有することを特徴とする請求項４に記載のタッチパネル入力装置。
【請求項６】
前記短絡電極は、円環の直径に対称形状に形成された一組の前記アーチ状導電板からなる円環導電板を有することを特徴とする請求項５に記載のタッチパネル入力装置。
【請求項７】
検出面に沿って、Ｙ方向に所定の間隔を隔ててＹ方向と直交するＸ方向に配線される複数の駆動電極Ｔｙと、前記検出面に沿ってＸ方向に所定の間隔を隔ててＹ方向に配線され、それぞれ前記複数の駆動電極Ｔｙと絶縁間隔を隔てて交差する複数の検出電極Ｒｘと、一定電圧の交流検出信号を出力する検出信号発信回路とを有する投影型静電容量式タッチパネルの前記検出面上に、絶縁体からなるノブ本体と、前記検出面に対向する前記ノブ本体の底面に沿って取り付けられる一組の電極と、前記一組の電極の上方の前記ノブ本体に取り付けられ、前記一組の電極間を電気接続する短絡電極とを有する操作ノブが配置され、
前記短絡電極は、前記一組の電極の鉛直方向の上方から前記検出面に平行な水平面に沿ってアーチ状で、前記検出面に投影させた形状が、前記検出面に沿って配線される複数の駆動電極Ｔｙを跨ぐ形状に形成されたアーチ状導電板を有し、操作者の指が触れる前記ノブ本体の表面に一部が露出して前記ノブ本体に取り付けられ、
前記一組の電極間の長さは、前記検出面に沿って配線される複数の駆動電極Ｔｙ間の間隔及び複数の検出電極Ｒｘ間の間隔に比べて十分に長く、前記一組の電極が、少なくとも複数の駆動電極Ｔｙ若しくは複数の検出電極Ｒｘを跨ぐ間隔を隔てて前記ノブ本体に取り付けられた前記操作ノブの入力操作を検出するタッチパネルの入力操作検出方法であって、
（１）前記検出信号発信回路から前記駆動電極Ｔｙ毎に前記交流検出信号を出力する工程と、
（２）前記交流検出信号を出力した前記駆動電極Ｔｙに交差する複数の前記検出電極Ｒｘに表れる前記交流検出信号の信号感度Ｖ（ｘ、ｙ）を順に検出し、前記検出面上の複数の前記駆動電極Ｔｙと複数の前記検出電極Ｒｘの各交点（ｘ、ｙ）について信号感度Ｖ（ｘ、ｙ）を検出する工程と、
（３）前記検出面上に前記操作ノブが配置されていない状態で、前記交点（ｘ、ｙ）について検出される信号感度Ｖ（ｘ、ｙ）を標準信号感度Ｖｓｔとして、信号感度Ｖ（ｘ、ｙ）が前記標準信号感度Ｖｓｔ未満となったいずれか１又は２以上の交点（ｘ、ｙ）の位置から、前記一組の電極の前記検出面上の第１位置Ｅ１（Ｐｘ１、ｐｙ１）と第２位置Ｅ２（ｐｘ２、ｐｙ２）を検出する工程と、
（４）前記（３）の工程の後、前記一組の電極の前記検出面上の第１位置Ｅ１（Ｐｘ１、ｐｙ１）と第２位置Ｅ２（ｐｘ２、ｐｙ２）を結ぶ直線がＸ方向若しくはＹ方向に傾斜している場合に、第１位置Ｅ１（Ｐｘ１、ｐｙ１）の近傍に配線された検出電極Ｒｘ１と第２位置Ｅ２（ｐｘ２、ｐｙ２）の近傍に配線された駆動電極Ｔｙ２との交点（ｘ１、ｙ２）の信号感度Ｖ（ｘ１、ｙ２）又は第２位置Ｅ２（ｐｘ２、ｐｙ２）の近傍に配線された検出電極Ｒｘ２と第１位置Ｅ１（Ｐｘ１、ｐｙ１）の近傍に配線された駆動電極Ｔｙ１との交点（ｘ２、ｙ１）の信号感度Ｖ（ｘ２、ｙ１）を、前記標準信号感度Ｖｓｔと比較し、いずれかの信号感度Ｖ（ｘ１、ｙ２）又はＶ（ｘ２、ｙ１）が、前記標準信号感度Ｖｓｔを超える場合に前記短絡電極に操作者の指が触れていないと、前記標準信号感度Ｖｓｔ以下である場合に前記短絡電極に操作者の指が触れていると判定する工程と、
（５）前記（３）の工程の後、前記一組の電極の前記検出面上の第１位置Ｅ１（Ｐｘ３、ｐｙ３）と第２位置Ｅ２（ｐｘ５、ｐｙ３）が同一の駆動電極Ｔｙ３の近傍にあり、若しくは、第１位置Ｅ１（Ｐｘ６、ｐｙ４）と第２位置Ｅ２（ｐｘ６、ｐｙ６）が同一の検出電極Ｒｘ６の近傍にある場合に、各中間近傍の交点（ｘ４、ｙ３）の信号感度Ｖ（ｘ４、ｙ３）若しくは交点（ｘ６、ｙ５）の信号感度Ｖ（ｘ６、ｙ５）を前記標準信号感度Ｖｓｔと比較し、いずれかの前記信号感度Ｖ（ｘ、ｙ）が、前記標準信号感度Ｖｓｔを超える場合に前記短絡電極に操作者の指が触れていないと、前記標準信号感度Ｖｓｔ以下である場合に前記短絡電極に操作者の指が触れていると判定する工程と、
（６）前記一組の電極の前記検出面上の第１位置Ｅ１（Ｐｘ１、ｐｙ１）と第２位置Ｅ２（ｐｘ２、ｐｙ２）から、前記操作ノブの入力位置を検出する工程と、
を備えたことを特徴とするタッチパネルの入力操作検出方法。
【手続補正２】
【補正対象書類名】明細書
【補正対象項目名】全文
【補正方法】変更
【補正の内容】
【発明の詳細な説明】
【発明の名称】タッチパネル入力装置とタッチパネルの入力操作検出方法
【技術分野】
【０００１】
本発明は、投影型静電容量式タッチパネルの検出面上に配置された操作ノブの入力位置を検出するタッチパネル入力装置とタッチパネルの入力操作検出方法に関し、更に詳しくは、特定の操作ノブによる入力操作と判別するために、操作ノブに一組の電極が取り付けられたタッチパネル入力装置とタッチパネルの入力操作検出方法に関する。
【背景技術】
【０００２】
投影型静電容量式タッチパネルは、検出面に接近する入力操作体を、非接触で、また自己容量方式のタッチパネルに比べて大きな静電容量の変化で検出できるので、入力操作の検出に汎用されている。始めにこの投影型静電容量式タッチパネル（以下、本明細書では単にタッチパネルという）の構成の概略と入力操作体の検出原理を、図１４と図１５を用いて説明する。
【０００３】
図１４（ａ）に示すように、タッチパネル１００は、検出面に、Ｙ方向に等間隔でＸ方向に沿った駆動電極Ｔｙと、Ｘ方向に等間隔でＹ方向沿った複数の検出電極Ｒｘがそれぞれの交差位置（ｘ、ｙ）で互いに絶縁して配線されている。入力操作の検出は、複数の駆動電極Ｔｙに順に一定電圧の交流検出信号を出力し、１本の駆動電極Ｔｙに交流検出信号を出力している間に、その駆動電極Ｔｙに交差する全ての検出電極Ｒｘに表れる交流検出信号の検出電圧Ｖ（ｘ、ｙ）を順に読みとる。各交点（ｘ、ｙ）で交差する駆動電極Ｔｙと検出電極Ｒｘは、操作者の指若しくは指が触れる入力操作体１１０が接近していない限り、図１５（ａ）に示すように、その間の静電容量ＣＴＲで容量結合し、この交点（ｘ、ｙ）で交差する駆動電極Ｔｙと検出電極Ｒｘ間の静電容量Ｃｘｙとなる静電容量ＣＴＲの大きさは、その交点（ｘ、ｙ）で交差する検出電極Ｒｘから読み取る検出電圧Ｖ（ｘ、ｙ）で表される。
【０００４】
いずれかの交点（ｘ、ｙ）に、入力操作体１１０が接近すると、図１４（ｂ）、図１５（ｂ）に示すように、入力操作体１１０が静電容量ＣＴＲに割り込んで静電容量ＣＰで結合し、その交点（ｘ、ｙ）で交差する駆動電極Ｔｙと検出電極Ｒｘ間の静電容量Ｃｘｙは減少する。すなわち、駆動電極Ｔｙから出力される交流検出信号の一部ＩＰは、静電容量ＣＰを介して入力操作体１１０に流れ、静電容量ＣＴＲを介して駆動電極Ｔｙから検出電極Ｒｘに流れる交流検出信号ＩＴＲは減少し、検出電極Ｒｘから読み取る検出電圧Ｖ’（ｘ、ｙ）は、上記検出電圧Ｖ（ｘ、ｙ）に比べて低下する。従って、標準の検出電圧Ｖ（ｘ、ｙ）より低下した検出電圧Ｖ’（ｘ、ｙ）が読み取られた交点（ｘ、ｙ）の検出面上の位置から入力操作体１１０が接近する操作位置（ｐｘ、ｐｙ）を検出できる。
【０００５】
このタッチパネル１００では、入力操作する入力操作体１１０を判別できず、また、検出面上の入力操作体１１０による回転操作などの入力操作を検出できないので、絶縁体からなるノブ本体の底面に固有のパターンで複数の電極を配置した操作ノブを入力操作体として用いたタッチパネル入力装置が特許文献１、特許文献２で知られている。
【０００６】
これらの従来のタッチパネル入力装置は、操作者が操作ノブに触れる指を介してノブ本体に取り付けられる複数の電極を接地させるため、各電極に電気接続する短絡電極の一部を指が触れるノブ本体の表面に露出させている。これにより、操作者が操作ノブを持ちながらタッチパネル１００の検出面上に操作ノブを配置すると、複数の各電極が操作者の指を介して接地され、上述したように、各電極毎にその近傍の交点（ｘ、ｙ）で交差する駆動電極Ｔｙと検出電極Ｒｘ間の静電容量ＣＴＲに割り込んで静電容量ＣＰで結合する。その結果、固有のパターンでノブ本体に取り付けられた各電極毎に検出面上の電極の位置が検出され、検出した各電極位置間の距離、方向から特定の操作ノブによる入力操作であることを検出でき、また、各電極位置の移動軌跡から操作ノブの回転操作方向や回転操作角度を検出できる。
【先行技術文献】
【特許文献】
【０００７】
【特許文献１】特許第６４０３９２１号公報
【特許文献２】再公表特許ＷＯ２０１６／１６６７９３号公報
【発明の概要】
【発明が解決しようとする課題】
【０００８】
従来のタッチパネル入力装置では、複数の電極のうち少なくとも一組の電極が短絡電極で電気接続していると、操作ノブの短絡電極を介して指が電極に触れていない場合であっても、電極が近接する交点（ｘ、ｙ）で交差する駆動電極Ｔｙと検出電極Ｒｘ間の静電容量Ｃｘｙが減少し、その交点（ｘ、ｙ）について検出される検出電圧Ｖ（ｘ、ｙ）が低下することがあり、例えば、操作ノブによる入力操作を行わずに、単にタッチパネルの検出面上に操作ノブを置いておくだけでも、入力操作と誤認する問題があった。
【０００９】
また、上述したタッチパネルの検出原理から、検出面に近接させる操作ノブの電極を操作者を介して接地させる必要があると考えられ、各電極が短絡電極を介して操作者の指に触れるように、その一部を操作者の指が確実に触れるノブ本体の表面の位置に露出させなければならないという構造上の制約が生じていた。
【００１０】
また、特許文献１によれば、電極に相当する導体柱の検出面上のタッチ点で検出するタッチ強度値を比較して操作ノブに操作者の指が触れているか否かを判定するとあるが、操作ノブに指が触れていない状態で、必ずしも導体柱の検出面上の位置を検出できるとはかぎらないので、同じタッチ点の位置で検出するタッチ強度値を比較して指が触れているか否かを判定することはできない。
【００１１】
本発明は、このような従来の問題点を考慮してなされたものであり、操作者が操作ノブを持つことなく、操作ノブをタッチパネルの検出面上の所定位置に配置するだけで、操作ノブによる入力操作を行うタッチパネル入力装置とタッチパネルの入力操作検出方法を提供することを目的とする。
【００１２】
また、操作ノブの底面に沿って取り付けられる一組の電極に操作者の指が電気接続する構造とする必要がない簡易構造としたタッチパネル入力装置とタッチパネルの入力操作検出方法を提供することを目的とする。
【００１３】
また、操作ノブの一組の電極の検出面上の位置を検出した場合に、操作者が操作ノブを持った入力操作であるか、検出面上に操作ノブが配置されたことによるものなのかを判定できるタッチパネル入力装置とタッチパネルの入力操作検出方法を提供することを目的とする。
【課題を解決するための手段】
【００１４】
上述の目的を達成するため、請求項１のタッチパネル入力装置は、検出面に沿って、Ｙ方向に所定の間隔を隔ててＹ方向と直交するＸ方向に配線される複数の駆動電極Ｔｙと、  検出面に沿って、Ｘ方向に所定の間隔を隔ててＹ方向に配線され、それぞれ複数の駆動電極Ｔｙと絶縁間隔を隔てて交差する複数の検出電極Ｒｘと、一定電圧の交流検出信号を出力する検出信号発信回路と、交流検出信号を出力する駆動電極Ｔｙ毎に、その駆動電極Ｔｙに交差する複数の検出電極Ｒｘに表れる交流検出信号の信号感度Ｖ（ｘ、ｙ）を検出し、複数の駆動電極Ｔｙと複数の検出電極Ｒｘの各交点（ｘ、ｙ）の信号感度Ｖ（ｘ、ｙ）を検出する走査手段とを有する投影型静電容量式タッチパネルと、投影型静電容量式タッチパネルの検出面上に配置され、絶縁体からなるノブ本体と、検出面に対向するノブ本体の底面に沿って取り付けられる一組の電極と、一組の電極の上方のノブ本体に取り付けられ、一組の電極間を電気接続する短絡電極とを有する操作ノブとを備え、検出面上に操作ノブが配置されていない状態で、交点（ｘ、ｙ）について検出される信号感度Ｖ（ｘ、ｙ）を標準信号感度Ｖｓｔとして、一組の電極にそれぞれ近接する交点（ｘ、ｙ）の信号感度Ｖ（ｘ、ｙ）が標準信号感度Ｖｓｔ未満となることから、一組の電極の検出面上の第１位置Ｅ１（Ｐｘ１、ｐｙ１）と第２位置Ｅ２（ｐｘ２、ｐｙ２）を検出し、操作ノブの入力位置を検出するタッチパネル入力装置であって、
短絡電極は、操作者の指が触れるノブ本体の表面に一部が露出して、ノブ本体に取り付けられ、一組の電極間の長さは、検出面に沿って配線される複数の駆動電極Ｔｙ間の間隔及び複数の検出電極Ｒｘ間の間隔に比べて十分に長く、一組の電極が、少なくとも複数の駆動電極Ｔｙ若しくは複数の検出電極Ｒｘを跨ぐ間隔を隔ててノブ本体に取り付けられ、投影型静電容量式タッチパネルは、一組の電極の検出面上の第１位置Ｅ１（Ｐｘ１、ｐｙ１）と第２位置Ｅ２（ｐｘ２、ｐｙ２）を結ぶ直線がＸ方向若しくはＹ方向に傾斜している場合に、第１位置Ｅ１（Ｐｘ１、ｐｙ１）の近傍に配線された検出電極Ｒｘ１と第２位置Ｅ２（ｐｘ２、ｐｙ２）の近傍に配線された駆動電極Ｔｙ２との交点（ｘ１、ｙ２）の信号感度Ｖ（ｘ１、ｙ２）又は第２位置Ｅ２（ｐｘ２、ｐｙ２）の近傍に配線された検出電極Ｒｘ２と第１位置Ｅ１（Ｐｘ１、ｐｙ１）の近傍に配線された駆動電極Ｔｙ１との交点（ｘ２、ｙ１）の信号感度Ｖ（ｘ２、ｙ１）のいずれかが標準信号感度Ｖｓｔを超える場合に、短絡電極に操作者の指が触れていないと判定するタッチ判定部を有することを特徴とする。
【００１５】
操作ノブがいずれの向きで検出面上に配置されても、一組の電極は、少なくとも複数の駆動電極Ｔｙ若しくは複数の検出電極Ｒｘを跨ぎ、一方の電極の位置の近傍の交点（ｘ、ｙ）に配線される駆動電極Ｔｙに出力される交流検出信号の一部は、操作者の指に代わって、他方の電極と他方の電極に対向する他の駆動電極Ｔｙ’若しくは他の検出電極Ｒｘ’の間の静電容量ＣＥを介して接地された他の駆動電極Ｔｙ’若しくは他の検出電極Ｒｘ’に流れ、その交点（ｘ、ｙ）に配線される検出電極Ｒｘから検出される信号感度Ｖ（ｘ、ｙ）が標準信号感度Ｖｓｔ未満となることから、一組の電極の第１位置Ｅ１（Ｐｘ１、ｐｙ１）と第２位置Ｅ２（ｐｘ２、ｐｙ２）を検出できる。
【００１６】
操作ノブを手で持つことにより、操作ノブの一組の電極は、操作者を介して接地接続され、一方の電極の位置で駆動電極Ｔｙ１から出力される交流検出信号の一部は、操作者の指との間の静電容量ＣＰを介して操作者を流れ、信号感度Ｖ（ｘ１、ｙ２）が標準信号感度Ｖｓｔ未満となることから、操作ノブを持って入力操作を行っても、一組の電極の第１位置Ｅ１（Ｐｘ１、ｐｙ１）と第２位置Ｅ２（ｐｘ２、ｐｙ２）を検出できる。
【００１７】
短絡電極に操作者の指が触れていない状態で、検出面上の第１位置Ｅ１（Ｐｘ１、ｐｙ１）と第２位置Ｅ２（ｐｘ２、ｐｙ２）を結ぶ直線がＸ方向若しくはＹ方向に傾斜している場合には、交点（ｘ１、ｙ２）についての駆動電極Ｔｙ２と検出電極Ｒｘ１間の静電容量は、交点（ｘ１、ｙ２）における静電容量ＣＴＲに、駆動電極Ｔｙ２と一方の電極間の静電容量ＣＥと他方の電極と検出電極Ｒｘ１間の静電容量ＣＥが直列に接続された静電容量ＣＥ／２が加わるので、静電容量ＣＴＲのみで検出電極Ｒｘ１から検出される標準信号感度Ｖｓｔより信号感度Ｖ（ｘ１、ｙ２）が上昇する。
【００１８】
同様に、短絡電極に操作者の指が触れていない状態で、交点（ｘ２、ｙ１）についての駆動電極Ｔｙ１と検出電極Ｒｘ２間の静電容量は、交点（ｘ２、ｙ１）における静電容量ＣＴＲに、駆動電極Ｔｙ１と他方の電極間の静電容量ＣＥと一方の電極と検出電極Ｒｘ２間の静電容量ＣＥが直列に接続された静電容量ＣＥ／２が加わるので、静電容量ＣＴＲのみで検出電極Ｒｘ２から検出される標準信号感度Ｖｓｔより信号感度Ｖ（ｘ２、ｙ１）が上昇する。
【００１９】
一方、短絡電極に操作者の指が触れている状態では、操作者の指を介して接地されるので、交点（ｘ１、ｙ２）若しくは交点（ｘ２、ｙ１）についての駆動電極Ｔｙと検出電極Ｒｘ間の静電容量は増加するとがなく、タッチ判定部は、交点（ｘ１、ｙ２）の信号感度Ｖ（ｘ１、ｙ２）又は交点（ｘ２、ｙ１）の信号感度Ｖ（ｘ２、ｙ１）のいずれかが標準信号感度Ｖｓｔを超える場合に、短絡電極に操作者の指が触れていないと判定できる。
【００２０】
請求項２と請求項５のタッチパネル入力装置は、短絡電極は、一組の電極の鉛直方向の上方から検出面に平行な水平面に沿ってアーチ状で、検出面に投影させた形状が、検出面に沿って配線される複数の駆動電極Ｔｙを跨ぐ形状に形成されたアーチ状導電板を有することを特徴とする。
【００２１】
一組の電極とアーチ状導電板は、検出面に沿って配線された複数の駆動電極Ｔｙにかけて覆うので、電極に操作者の指が触れていない場合であっても、一方の電極の位置の近傍の交点（ｘ、ｙ）に配線される駆動電極Ｔｙに出力される交流検出信号の一部は、操作者の指に代わって、他方の電極と他方の電極に対向する他の駆動電極Ｔｙ’の間の静電容量ＣＥを介して接地された他の駆動電極Ｔｙ’に流れ、その交点（ｘ、ｙ）に配線される検出電極Ｒｘから検出される信号感度Ｖ（ｘ、ｙ）が標準信号感度Ｖｓｔ未満となることから、一組の電極の第１位置Ｅ１（Ｐｘ１、ｐｙ１）と第２位置Ｅ２（ｐｘ２、ｐｙ２）を検出できる。
【００２２】
また、一組の電極の検出面上の第１位置Ｅ１（Ｐｘ３、ｐｙ３）と第２位置Ｅ２（ｐｘ５、ｐｙ３）が同一の駆動電極Ｔｙ３の近傍にあっても、駆動電極Ｔｙ３に出力される交流検出信号の一部は、操作者の指に代わって、アーチ状導電板と他の駆動電極Ｔｙ’の間の静電容量ＣＴＳを介して接地された他の駆動電極Ｔｙ’に流れ、信号感度Ｖ（ｘ３、ｙ３）と信号感度Ｖ（ｘ５、ｙ３）が標準信号感度Ｖｓｔ未満となることから、一組の電極の第１位置Ｅ１（Ｐｘ３、ｐｙ３）と第２位置Ｅ２（ｐｘ５、ｐｙ３）を検出できる。
【００２３】
請求項３と請求項６のタッチパネル入力装置は、短絡電極は、円環の直径に対称形状に形成された一組のアーチ状導電板からなる円環導電板を有することを特徴とする。
【００２４】
一組の電極の検出面上の第１位置Ｅ１（Ｐｘ３、ｐｙ３）と第２位置Ｅ２（ｐｘ５、ｐｙ３）が同一の駆動電極Ｔｙ３の近傍にある場合に、駆動電極Ｔｙ３について対称位置に配線された他の駆動電極Ｔｙと一組のアーチ状導電板との間にそれぞれ静電容量ＣＴＳが形成され、各静電容量ＣＴＳを介して一方の電極の位置で駆動電極Ｔｙ３から出力される交流検出信号の一部は、複数本の接地された他の駆動電極Ｔｙに並列に流れ、第１位置Ｅ１（Ｐｘ３、ｐｙ３）と第２位置Ｅ２（ｐｘ５、ｐｙ３）の近傍の交点（ｘ３、ｙ３）の信号感度Ｖ（ｘ３、ｙ３）と、交点（ｘ５、ｙ３）の信号感度Ｖ（ｘ５、ｙ３）が低下して、一組の電極の第１位置Ｅ１（Ｐｘ３、ｐｙ３）と第２位置Ｅ２（ｐｘ５、ｐｙ３）をより確実に検出できる。
請求項４のタッチパネル入力装置は、検出面に沿って、Ｙ方向に所定の間隔を隔ててＹ方向と直交するＸ方向に配線される複数の駆動電極Ｔｙと、検出面に沿って、Ｘ方向に所定の間隔を隔ててＹ方向に配線され、それぞれ複数の駆動電極Ｔｙと絶縁間隔を隔てて交差する複数の検出電極Ｒｘと、一定電圧の交流検出信号を出力する検出信号発信回路と、交流検出信号を出力する駆動電極Ｔｙ毎に、その駆動電極Ｔｙに交差する複数の検出電極Ｒｘに表れる交流検出信号の信号感度Ｖ（ｘ、ｙ）を検出し、複数の駆動電極Ｔｙと複数の検出電極Ｒｘの各交点（ｘ、ｙ）の信号感度Ｖ（ｘ、ｙ）を検出する走査手段とを有する投影型静電容量式タッチパネルと、投影型静電容量式タッチパネルの検出面上に配置され、絶縁体からなるノブ本体と、検出面に対向するノブ本体の底面に沿って取り付けられる一組の電極と、一組の電極の上方のノブ本体に取り付けられ、一組の電極間を電気接続する短絡電極とを有する操作ノブとを備え、検出面上に操作ノブが配置されていない状態で、交点（ｘ、ｙ）について検出される信号感度Ｖ（ｘ、ｙ）を標準信号感度Ｖｓｔとして、一組の電極にそれぞれ近接する交点（ｘ、ｙ）の信号感度Ｖ（ｘ、ｙ）が標準信号感度Ｖｓｔ未満となることから、一組の電極の検出面上の第１位置Ｅ１（Ｐｘ１、ｐｙ１）と第２位置Ｅ２（ｐｘ２、ｐｙ２）を検出し、操作ノブの入力位置を検出するタッチパネル入力装置であって、
短絡電極は、操作者の指が触れるノブ本体の表面に一部が露出して、ノブ本体に取り付けられ、一組の電極間の長さは、検出面に沿って配線される複数の駆動電極Ｔｙ間の間隔及び複数の検出電極Ｒｘ間の間隔に比べて十分に長く、一組の電極が、少なくとも複数の駆動電極Ｔｙ若しくは複数の検出電極Ｒｘを跨ぐ間隔を隔ててノブ本体に取り付けられ、投影型静電容量式タッチパネルは、第１位置Ｅ１（Ｐｘ３、ｐｙ３）と第２位置Ｅ２（ｐｘ５、ｐｙ３）が同一の駆動電極Ｔｙ３の近傍にあり、若しくは、第１位置Ｅ１（Ｐｘ６、ｐｙ４）と第２位置Ｅ２（ｐｘ６、ｐｙ６）が同一の検出電極Ｒｘ６の近傍にあり、いずれかの中間近傍の交点（ｘ４、ｙ３）の信号感度Ｖ（ｘ４、ｙ３）若しくは交点（ｘ６、ｙ５）の信号感度Ｖ（ｘ６、ｙ５）が標準信号感度Ｖｓｔを超える場合に、短絡電極に操作者の指が触れていないと判定するタッチ判定部を有することを特徴とする。
【００２５】
操作ノブがいずれの向きで検出面上に配置されても、一組の電極は、少なくとも複数の駆動電極Ｔｙ若しくは複数の検出電極Ｒｘを跨ぎ、一方の電極の位置の近傍の交点（ｘ、ｙ）に配線される駆動電極Ｔｙに出力される交流検出信号の一部は、操作者の指に代わって、他方の電極と他方の電極に対向する他の駆動電極Ｔｙ’若しくは他の検出電極Ｒｘ’の間の静電容量ＣＥを介して接地された他の駆動電極Ｔｙ’若しくは他の検出電極Ｒｘ’に流れ、その交点（ｘ、ｙ）に配線される検出電極Ｒｘから検出される信号感度Ｖ（ｘ、ｙ）が標準信号感度Ｖｓｔ未満となることから、一組の電極の第１位置Ｅ１（Ｐｘ１、ｐｙ１）と第２位置Ｅ２（ｐｘ２、ｐｙ２）を検出できる。
【００２６】
操作ノブを手で持つことにより、操作ノブの一組の電極は、操作者を介して接地接続され、一方の電極の位置で駆動電極Ｔｙ１から出力される交流検出信号の一部は、操作者の指との間の静電容量ＣＰを介して操作者を流れ、信号感度Ｖ（ｘ１、ｙ２）が標準信号感度Ｖｓｔ未満となることから、操作ノブを持って入力操作を行っても、一組の電極の第１位置Ｅ１（Ｐｘ１、ｐｙ１）と第２位置Ｅ２（ｐｘ２、ｐｙ２）を検出できる。
【００２７】
短絡電極に操作者の指が触れていない状態で、検出面上の第１位置Ｅ１（Ｐｘ３、ｐｙ３）と第２位置Ｅ２（ｐｘ５、ｐｙ３）が同一の駆動電極Ｔｙ３の近傍にある場合には、その中間近傍の交点（ｘ４、ｙ３）についての駆動電極Ｔｙ３と検出電極Ｒｘ４間の静電容量は、交点（ｘ４、ｙ３）における静電容量ＣＴＲに、駆動電極Ｔｙ３といずれかの電極との間の静電容量ＣＥと短絡電極と検出電極Ｒｘ４間の静電容量ＣＳＲが直列に接続された静電容量が加わるので、静電容量ＣＴＲのみで検出電極Ｒｘ４から検出される標準信号感度Ｖｓｔより信号感度Ｖ（ｘ４、ｙ３）が上昇する。
【００２８】
同様に短絡電極に操作者の指が触れていない状態で、検出面上の第１位置Ｅ１（Ｐｘ６、ｐｙ４）と第２位置Ｅ２（ｐｘ６、ｐｙ６）が同一の検出電極Ｒｘ６の近傍にある場合には、その中間近傍の交点（ｘ６、ｙ５）についての駆動電極Ｔｙ５と検出電極Ｒｘ６間の静電容量は、交点（ｘ６、ｙ５）における静電容量ＣＴＲに、駆動電極Ｔｙ５と短絡電極間の静電容量ＣＳＲといずれかの電極と検出電極Ｒｘ６の間の静電容量ＣＥが直列に接続された静電容量が加わるので、静電容量ＣＴＲのみで検出電極Ｒｘ６から検出される標準信号感度Ｖｓｔより信号感度Ｖ（ｘ６、ｙ５）が上昇する。
【００２９】
一方、短絡電極に操作者の指が触れていない状態では、操作者の指を介して接地されるので、交点（ｘ４、ｙ３）若しくは交点（ｘ６、ｙ５）についての駆動電極Ｔｙと検出電極Ｒｘ間の静電容量は増加するとがなく、タッチ判定部は、交点（ｘ４、ｙ３）の信号感度Ｖ（ｘ４、ｙ３）又は交点（ｘ６、ｙ５）の信号感度Ｖ（ｘ６、ｙ５）のいずれかが標準信号感度Ｖｓｔを超える場合に、短絡電極に操作者の指が触れていないと判定できる。
【００３０】
請求項７のタッチパネルの入力操作検出方法は、検出面に沿って、Ｙ方向に所定の間隔を隔ててＹ方向と直交するＸ方向に配線される複数の駆動電極Ｔｙと、検出面に沿ってＸ方向に所定の間隔を隔ててＹ方向に配線され、それぞれ複数の駆動電極Ｔｙと絶縁間隔を隔てて交差する複数の検出電極Ｒｘと、一定電圧の交流検出信号を出力する検出信号発信回路とを有する投影型静電容量式タッチパネルの検出面上に、絶縁体からなるノブ本体と、検出面に対向するノブ本体の底面に沿って取り付けられる一組の電極と、一組の電極の上方のノブ本体に取り付けられ、一組の電極間を電気接続する短絡電極とを有する操作ノブが配置され、短絡電極は、一組の電極の鉛直方向の上方から検出面に平行な水平面に沿ってアーチ状で、検出面に投影させた形状が、検出面に沿って配線される複数の駆動電極Ｔｙを跨ぐ形状に形成されたアーチ状導電板を有し、操作者の指が触れるノブ本体の表面に一部が露出してノブ本体に取り付けられ、一組の電極間の長さは、検出面に沿って配線される複数の駆動電極Ｔｙ間の間隔及び複数の検出電極Ｒｘ間の間隔に比べて十分に長く、一組の電極が、少なくとも複数の駆動電極Ｔｙ若しくは複数の検出電極Ｒｘを跨ぐ間隔を隔ててノブ本体に取り付けられた操作ノブの入力操作を検出するタッチパネルの入力操作検出方法であって、
（１）検出信号発信回路から駆動電極Ｔｙ毎に交流検出信号を出力する工程と、
（２）交流検出信号を出力した駆動電極Ｔｙに交差する複数の検出電極Ｒｘに表れる交流検出信号の信号感度Ｖ（ｘ、ｙ）を順に検出し、検出面上の複数の駆動電極Ｔｙと複数の検出電極Ｒｘの各交点（ｘ、ｙ）について信号感度Ｖ（ｘ、ｙ）を検出する工程と、
（３）検出面上に操作ノブが配置されていない状態で、交点（ｘ、ｙ）について検出される信号感度Ｖ（ｘ、ｙ）を標準信号感度Ｖｓｔとして、信号感度Ｖ（ｘ、ｙ）が標準信号感度Ｖｓｔ未満となったいずれか１又は２以上の交点（ｘ、ｙ）の位置から、一組の電極の検出面上の第１位置Ｅ１（Ｐｘ１、ｐｙ１）と第２位置Ｅ２（ｐｘ２、ｐｙ２）を検出する工程と、
（４）（３）の工程の後、一組の電極の検出面上の第１位置Ｅ１（Ｐｘ１、ｐｙ１）と第２位置Ｅ２（ｐｘ２、ｐｙ２）を結ぶ直線がＸ方向若しくはＹ方向に傾斜している場合に、第１位置Ｅ１（Ｐｘ１、ｐｙ１）の近傍に配線された検出電極Ｒｘ１と第２位置Ｅ２（ｐｘ２、ｐｙ２）の近傍に配線された駆動電極Ｔｙ２との交点（ｘ１、ｙ２）の信号感度Ｖ（ｘ１、ｙ２）又は第２位置Ｅ２（ｐｘ２、ｐｙ２）の近傍に配線された検出電極Ｒｘ２と第１位置Ｅ１（Ｐｘ１、ｐｙ１）の近傍に配線された駆動電極Ｔｙ１との交点（ｘ２、ｙ１）の信号感度Ｖ（ｘ２、ｙ１）を、標準信号感度Ｖｓｔと比較し、いずれかの信号感度Ｖ（ｘ１、ｙ２）又はＶ（ｘ２、ｙ１）が、標準信号感度Ｖｓｔを超える場合に短絡電極に操作者の指が触れていないと、標準信号感度Ｖｓｔ以下である場合に短絡電極に操作者の指が触れていると判定する工程と、
（５）（３）の工程の後、一組の電極の検出面上の第１位置Ｅ１（Ｐｘ３、ｐｙ３）と第２位置Ｅ２（ｐｘ５、ｐｙ３）が同一の駆動電極Ｔｙ３の近傍にあり、若しくは、第１位置Ｅ１（Ｐｘ６、ｐｙ４）と第２位置Ｅ２（ｐｘ６、ｐｙ６）が同一の検出電極Ｒｘ６の近傍にある場合に、各中間近傍の交点（ｘ４、ｙ３）の信号感度Ｖ（ｘ４、ｙ３）若しくは交点（ｘ６、ｙ５）の信号感度Ｖ（ｘ６、ｙ５）を標準信号感度Ｖｓｔと比較し、いずれかの信号感度Ｖ（ｘ、ｙ）が、標準信号感度Ｖｓｔを超える場合に短絡電極に操作者の指が触れていないと、標準信号感度Ｖｓｔ以下である場合に短絡電極に操作者の指が触れていると判定する工程と、
（６）一組の電極の検出面上の第１位置Ｅ１（Ｐｘ１、ｐｙ１）と第２位置Ｅ２（ｐｘ２、ｐｙ２）から、操作ノブの入力位置を検出する工程と、
を備えたことを特徴とする。
【００３１】
操作ノブがいずれの向きで検出面上に配置されても、一組の電極は、少なくとも複数の駆動電極Ｔｙ若しくは複数の検出電極Ｒｘを跨ぎ、一方の電極の位置の近傍の交点（ｘ、ｙ）に配線される駆動電極Ｔｙに出力される交流検出信号の一部は、操作者の指に代わって、他方の電極と他方の電極に対向する他の駆動電極Ｔｙ’若しくは他の検出電極Ｒｘ’の間の静電容量ＣＥを介して接地された他の駆動電極Ｔｙ’若しくは他の検出電極Ｒｘ’に流れ、その交点（ｘ、ｙ）に配線される検出電極Ｒｘから検出される信号感度Ｖ（ｘ、ｙ）が標準信号感度Ｖｓｔ未満となるので、（３）の工程から、一組の電極の第１位置Ｅ１（Ｐｘ１、ｐｙ１）と第２位置Ｅ２（ｐｘ２、ｐｙ２）を検出できる。
【００３２】
一組の電極の検出面上の第１位置Ｅ１（Ｐｘ１、ｐｙ１）と第２位置Ｅ２（ｐｘ２、ｐｙ２）を結ぶ直線がＸ方向若しくはＹ方向に傾斜している場合で、短絡電極に操作者の指が触れていない状態では、交点（ｘ１、ｙ２）についての駆動電極Ｔｙ２と検出電極Ｒｘ１間の静電容量Ｃｘｙは、交点（ｘ１、ｙ２）における静電容量ＣＴＲに、駆動電極Ｔｙ２と一方の電極間の静電容量ＣＥと他方の電極と検出電極Ｒｘ１間の静電容量ＣＥが直列に接続された静電容量ＣＥ／２が加わるので、静電容量ＣＴＲのみで検出電極Ｒｘ１から検出される標準信号感度Ｖｓｔより信号感度Ｖ（ｘ１、ｙ２）が上昇する。
【００３３】
同様に、短絡電極に操作者の指が触れていない状態で、交点（ｘ２、ｙ１）についての駆動電極Ｔｙ１と検出電極Ｒｘ２間の静電容量Ｃｘｙは、交点（ｘ２、ｙ１）における静電容量ＣＴＲに、駆動電極Ｔｙ１と他方の電極間の静電容量ＣＥと一方の電極と検出電極Ｒｘ２間の静電容量ＣＥが直列に接続された静電容量ＣＥ／２が加わるので、静電容量ＣＴＲのみで検出電極Ｒｘ２から検出される標準信号感度Ｖｓｔより信号感度Ｖ（ｘ２、ｙ１）が上昇する。
【００３４】
一方、短絡電極に操作者の指が触れている状態では、操作者の指を介して接地されるので、交点（ｘ１、ｙ２）若しくは交点（ｘ２、ｙ１）についての駆動電極Ｔｙと検出電極Ｒｘ間の静電容量は増加するとがないので、（４）の工程で、交点（ｘ１、ｙ２）の信号感度Ｖ（ｘ１、ｙ２）又は交点（ｘ２、ｙ１）の信号感度Ｖ（ｘ２、ｙ１）のいずれかが標準信号感度Ｖｓｔを超える場合に、短絡電極に操作者の指が触れていないと、標準信号感度Ｖｓｔ以下である場合に、短絡電極に操作者の指が触れていると判定できる。
【００３５】
検出面上の第１位置Ｅ１（Ｐｘ３、ｐｙ３）と第２位置Ｅ２（ｐｘ５、ｐｙ３）が同一の駆動電極Ｔｙ３の近傍にある場合で、短絡電極に操作者の指が触れていない状態では、その中間近傍の交点（ｘ４、ｙ３）についての駆動電極Ｔｙ３と検出電極Ｒｘ４間の静電容量は、交点（ｘ４、ｙ３）における静電容量ＣＴＲに、駆動電極Ｔｙ３といずれかの電極との間の静電容量ＣＥと短絡電極と検出電極Ｒｘ４間の静電容量ＣＳＲが直列に接続された静電容量が加わるので、静電容量ＣＴＲのみで検出電極Ｒｘ４から検出される標準信号感度Ｖｓｔより信号感度Ｖ（ｘ４、ｙ３）が上昇する。
【００３６】
検出面上の第１位置Ｅ１（Ｐｘ６、ｐｙ４）と第２位置Ｅ２（ｐｘ６、ｐｙ６）が同一の検出電極Ｒｘ６の近傍にある場合で、同様に短絡電極に操作者の指が触れていない状態では、その中間近傍の交点（ｘ６、ｙ５）についての駆動電極Ｔｙ５と検出電極Ｒｘ６間の静電容量は、交点（ｘ６、ｙ５）における静電容量ＣＴＲに、駆動電極Ｔｙ５と短絡電極間の静電容量ＣＳＲといずれかの電極と検出電極Ｒｘ６の間の静電容量ＣＥが直列に接続された静電容量が加わるので、静電容量ＣＴＲのみで検出電極Ｒｘ６から検出される標準信号感度Ｖｓｔより信号感度Ｖ（ｘ６、ｙ５）が上昇する。
【００３７】
一方、短絡電極に操作者の指が触れていない状態では、操作者の指を介して接地されるので、交点（ｘ４、ｙ３）若しくは交点（ｘ６、ｙ５）についての駆動電極Ｔｙと検出電極Ｒｘ間の静電容量は増加するとがないので、（５）の工程で、交点（ｘ４、ｙ３）の信号感度Ｖ（ｘ４、ｙ３）又は交点（ｘ６、ｙ５）の信号感度Ｖ（ｘ６、ｙ５）のいずれかが標準信号感度Ｖｓｔを超える場合に、短絡電極に操作者の指が触れていないと、標準信号感度Ｖｓｔ以下である場合に、短絡電極に操作者の指が触れていると判定できる。
【発明の効果】
【００３８】
請求項１、請求項４又は請求項７の発明によれば、操作者が操作ノブを持って入力操作を行うことなく、操作ノブをタッチパネルの検出面上の所定位置に配置するだけで、操作ノブによる入力操作を行うことができる。
【００３９】
また、操作ノブの種類や操作ノブの回転操作を検出するために操作ノブのノブ本体の底面に沿って取り付ける一組の電極を、操作者の指が触れるノブ本体の表面に露出させる必要がなく、操作ノブを簡易構造とすることができる。
【００４０】
また、操作者が操作ノブを持って検出面上を移動操作する入力操作と、操作ノブをタッチパネルの検出面上の所定位置に配置するだけの入力操作のいずれであっても操作ノブの入力位置を検出できる。
【００４１】
請求項２又は請求項５の発明によれば、検出電極Ｒｘに表れる交流検出信号の信号感度Ｖ（ｘ、ｙ）を検出するために、検出電極Ｒｘをハイインピーダンスとしても、操作者が操作ノブを持たない操作ノブの検出面上の位置を検出できる。
【００４２】
請求項３又は請求項６の発明によれば、限られた大きさの操作ノブで、より確実に指が触れいない操作ノブの入力位置を検出できる。
【００４３】
請求項１の発明によれば、一組の電極の検出面上の第１位置Ｅ１（Ｐｘ１、ｐｙ１）と第２位置Ｅ２（ｐｘ２、ｐｙ２）を結ぶ直線が、駆動電極Ｔｙ若しくは検出電極Ｒｘの配線方向に傾斜している場合に、操作者が操作ノブを持って検出面上を移動操作する入力操作と、操作ノブをタッチパネルの検出面上の所定位置に配置するだけの入力操作を確実に判定できる。
【００４４】
請求項４と請求項７の発明によれば、一組の第１位置Ｅ１（Ｐｘ３、ｐｙ３）、（ｐｘ６、ｐｙ４）と第２位置Ｅ２（ｐｘ５、ｐｙ３）、（ｐｘ６、ｐｙ６）を結ぶ直線が、駆動電極Ｔｙ若しくは検出電極Ｒｘの配線方向と平行である場合に、操作者が操作ノブを持って検出面上を移動操作する入力操作と、操作ノブをタッチパネルの検出面上の所定位置に配置するだけの入力操作を確実に判定できる。
【図面の簡単な説明】
【００４５】
【図１】本発明の実施の形態に係るタッチパネル入力装置１の回路図である。
【図２】操作ノブ２の（ａ）は、平面図、（ｂ）は、（ａ）のＡ−Ａ線断面図、である。
【図３】一組の電極Ｅ１、Ｅ２を結ぶ直線が、Ｘ方向若しくはＹ方向に傾斜している向きで、（ａ）は、検出面３１上に操作ノブ２が配置された状態を示す平面図、（ｂ）は、操作ノブ２に操作者の手が触れていない状態で、検出面３１の各交点（ｘ、ｙ）について検出される信号感度Ｖ（ｘ、ｙ）を示す説明図、（ｃ）は、操作ノブ２に操作者の手が触れている状態で、検出面３１の各交点（ｘ、ｙ）について検出される信号感度Ｖ（ｘ、ｙ）を示す説明図、である。
【図４】図３（ｂ）で、一方の電極Ｅ１Ｅ１（Ｐｘ１、ｐｙ１）の近傍の交点（ｘ１、ｙ１）について検出される信号感度Ｖ（ｘ１、ｙ１）が標準信号感度Ｖｓｔより低下する理由を説明する説明図である。
【図５】図３（ｂ）で、一組の一方の電極Ｅ１Ｅ１（Ｐｘ１、ｐｙ１）の近傍に配線された検出電極Ｒｘ１と他方の電極Ｅ２（ｐｘ２、ｐｙ２）の近傍に配線された駆動電極Ｔｙ２との交点（ｘ１、ｙ２）について検出される信号感度Ｖ（ｘ１、ｙ２）が標準信号感度Ｖｓｔを越える理由を説明する説明図である。
【図６】一組の一方の電極Ｅ１（ｐｘ３、ｐｙ３）と他方の電極Ｅ２（ｐｘ５、ｐｙ３）が同一の駆動電極Ｔｙ３の近傍にある向きで、（ａ）は、検出面３１上に操作ノブ２が配置された状態を示す平面図、（ｂ）は、操作ノブ２に操作者の手が触れていない状態で、検出面３１の各交点（ｘ、ｙ）について検出される信号感度Ｖ（ｘ、ｙ）を示す説明図、（ｃ）は、操作ノブ２に操作者の手が触れている状態で、検出面３１の各交点（ｘ、ｙ）について検出される信号感度Ｖ（ｘ、ｙ）を示す説明図、である。
【図７】図６（ｂ）で、一方の電極Ｅ１（ｐｘ３、ｐｙ３）の近傍の交点（ｘ３、ｙ３）について検出される信号感度Ｖ（ｘ３、ｙ３）が標準信号感度Ｖｓｔより低下する理由を説明する説明図である。
【図８】図６（ｂ）で、一組の一方の電極Ｅ１（ｐｘ３、ｐｙ３）と他方の電極Ｅ２（ｐｘ５、ｐｙ３）の中間の近傍の交点（ｘ４、ｙ３）について検出される信号感度Ｖ（ｘ４、ｙ３）が標準信号感度Ｖｓｔを越える理由を説明する説明図である。
【図９】一組の一方の電極Ｅ１（ｐｘ６、ｐｙ４）と他方の電極Ｅ２（ｐｘ６、ｐｙ６）が同一の検出電極Ｒｘ６の近傍にある向きで、（ａ）は、検出面３１上に操作ノブ２が配置された状態を示す平面図、（ｂ）は、操作ノブ２に操作者の手が触れていない状態で、検出面３１の各交点（ｘ、ｙ）について検出される信号感度Ｖ（ｘ、ｙ）を示す説明図、（ｃ）は、操作ノブ２に操作者の手が触れている状態で、検出面３１の各交点（ｘ、ｙ）について検出される信号感度Ｖ（ｘ、ｙ）を示す説明図、である。
【図１０】図９（ｂ）で、一方の電極Ｅ１（ｐｘ６、ｐｙ４）の近傍の交点（ｘ６、ｙ４）について検出される信号感度Ｖ（ｘ６、ｙ４）が標準信号感度Ｖｓｔより低下する理由を説明する説明図である。
【図１１】図９（ｂ）で、一組の一方の電極Ｅ１（ｐｘ６、ｐｙ４）と他方の電極Ｅ２（ｐｘ６、ｐｙ６）の中間の近傍の交点（ｘ６、ｙ５）について検出される信号感度Ｖ（ｘ６、ｙ５）が標準信号感度Ｖｓｔを越える理由を説明する説明図である。
【図１２】本発明の実施の形態に係るタッチパネルの入力操作検出方法の各交点（ｘ、ｙ）について信号感度Ｖ（ｘ、ｙ）を検出する工程を示すフローチャートである。
【図１３】本発明の実施の形態に係るタッチパネルの入力操作検出方法の操作ノブ２をで持っているか否かを判定する工程を示すフローチャートである。
【図１４】タッチパネルによる入力操作の検出原理を示す（ａ）は、タッチパネル１００の平面図、（ｂ）は、入力操作による静電容量の変化を示す説明図、である。
【図１５】送信電極Ｔｙと受信電極Ｔｘ間の静電容量Ｃｘｙの入力操作による変化を示し、（ａ）は、入力操作前の回路図、（ｂ）は、操作者の指を近づける入力操作後の回路図、である。
【発明を実施するための形態】
【００４６】
以下、本発明の第１実施の形態に係るタッチパネル入力装置１を図１乃至図１１を用いて説明する。タッチパネル入力装置１は、タッチパネル（投影型静電容量式タッチパネル）の検出面３１上に配置される操作ノブ２の入力位置を検出するもので、図１に示すタッチパネル（投影型静電容量式タッチパネル）３と、図２に示す操作ノブ２とを備えている。
【００４７】
タッチパネル３は、図１に示すように、絶縁パネル３０の表面を検出面３１として、Ｙ方向に例えば６ｍｍの所定の間隔を隔ててＹ方向と直交するＸ方向に配線されたｉ本（ｉは、２以上の自然数）の駆動電極Ｔｙと、Ｘ方向に例えば６ｍｍの所定の間隔を隔ててＹ方向に配線されたｊ本（ｊは、自然数）の検出電極Ｒｘが各交点（ｘ，ｙ）において互いに絶縁して格子状に配線されている。
【００４８】
本明細書では、この検出面３１上の各位置を直交するＸＹ方向のｘｙ座標で表すものとし、説明の便宜上、操作ノブ２の後述する電極Ｅを検出面３１に投影させた投影形状の図心の位置を電極Ｅの位置Ｅ（ｐｘ、ｐｙ）と、その近傍でＹ方向に配線される検出電極ＲｘとＸ方向に配線された駆動電極Ｔｙとの交点を交点（ｘ、ｙ）と表して説明する。
【００４９】
検出面３１に沿って格子状に配線された駆動電極Ｔｙ及び検出電極Ｒｘの表面側は、これらの電極を保護するとともに、操作ノブ２の電極Ｅや操作者の指が直接これらの電極に触れて誤作動しないように、図示しない透明絶縁シートで覆われている。
【００５０】
ｉ本の各駆動電極Ｔｙは、それぞれノイズを除去するダンピング抵抗３２を介して、パルス高さ（電圧）がＶｏの矩形波の交流検出信号を出力する検出信号発信回路３３に接続している。また、各駆動電極Ｔｙとダンピング抵抗３２の接続点Ｔ１〜ｉには、マイコン４の入出力ポートＰＴｙ１〜ＰＴｙｉが各駆動電極Ｔｙ１〜Ｔｙｉに対応して接続している。
【００５１】
各入出力ポートＰＴｙ１〜ＰＴｙｉは、入出力ポートＰＴｙを出力ポートの状態とするＯＦＦモードである場合には、その入出力ポートＰＴｙは低インピーダンスで、その入出力ポートＰＴｙに接続する駆動電極Ｔｙの電位は、入出力ポートＰＴｙの電位（例えば「Ｌ」）レベルであれば０Ｖ、「Ｈ」レベルであればＶＣＣ）で安定し、検出信号発信回路３３から出力される矩形波交流信号の交流検出信号は、その入駆動電極ＰＴｙに出力されない。また、入出力ポートＰＴｙが、その入出力ポートＰＴｙを入力ポートの状態とするＯＮモードである場合には、ハイインピーダンスの入力ポートＰＴｙに、検出信号発信回路３３から出力される矩形波交流信号は流れ込まず、その入出力ポートＰに接続する駆動電極Ｔｙに、矩形波交流信号である交流検出信号が出力される。つまり、マイコン４は、任意の順にいずれかの入出力ポートＰＴｙを入力ポートの状態とし、その入出力ポートＰＴｙが接続する駆動電極Ｔｙへ交流検出信号を出力する。
【００５２】
ｊ本の検出電極Ｒｘは、それぞれマイコン４からの制御によりマイコン４の電圧検出回路４１との接続が切り換えられるマルチプレクサ３４に接続している。マイコン４は、いずれかの駆動電極Ｔｙへ交流検出信号が出力している駆動制御期間毎に、その駆動電極Ｔｙに交差するｊ本の検出電極Ｒｘを、マイコン４の電圧検出回路４１との接続に順に切り換え、電圧検出回路４１は、切り替え接続された検出電極Ｒｘに表れる交流検出信号の検出電圧Ｖ（ｘ、ｙ）を検出する。このとき、マルチプレクサ３４で切り替え接続された検出電極Ｒｘは、ハイインピーダンスの電圧検出回路４１に接続され、その他の検出電極Ｒｘはローインピーダンスで接地される。ここで、各交点（ｘ、ｙ）について検出された検出電圧Ｖ（ｘ、ｙ）は、その交点（ｘ、ｙ）の駆動電極Ｔｙに出力された電圧Ｖｏの交流検出信号が検出電極Ｒｘに表れた電圧であるので、交点（ｘ、ｙ）についての交流検出信号の信号感度Ｖ（ｘ、ｙ）を表している。
【００５３】
電圧検出回路４１は、マイコン４がいずれかの駆動電極Ｔｙに交流検出信号を出力している間、その駆動電極Ｔｙと駆動電極Ｔｙに交差する検出電極Ｒｘ間の静電容量ＣＴＲを介して検出電極Ｒｘに表れる交流検出信号の検出電圧Ｖ（ｘ、ｙ）を読みとり、検出面３１上の全ての交点（ｘ、ｙ）について読み取った検出電圧Ｖ（ｘ、ｙ）を記憶部４２へ記憶する。ここで上記静電容量ＣＴＲは、周囲の浮遊容量に変化がなければほぼ一定値であるので、入力操作体が接近せずに駆動電極Ｔｙの浮遊容量に変動がなければ、検出電圧Ｖ（ｘ、ｙ）は、交流検出信号の出力電圧Ｖｏに比例する標準信号電圧Ｖｓｔ（ｘ、ｙ）で一定であり、全ての交点（ｘ、ｙ）についてほぼ同一の値となる。以下、本明細書では、この標準信号電圧Ｖｓｔ（ｘ、ｙ）を標準信号感度Ｖｓｔという。
【００５４】
一方、いずれかの交点（ｘ、ｙ）に操作ノブ２の電極Ｅが接近すると、後述するように、操作ノブ２を操作者が手に持っているか否かにかかわらず、その交点（ｘ、ｙ）で交差する駆動電極Ｔｙと検出電極Ｒｘ間の静電容量Ｃｘｙが低下する。また、後述するように、操作ノブ２を操作者が手に持っていない場合には、電極Ｅの位置Ｅ（ｐｘ、ｐｙ）から離れた特定の交点（ｘ、ｙ）において、その交点（ｘ、ｙ）で交差する駆動電極Ｔｙと検出電極Ｒｘ間の静電容量Ｃｘｙが逆に上昇する。
【００５５】
そこで、マイコン４は、検出面３１の全ての交点（ｘ、ｙ）について記憶部４２に記憶された検出電圧Ｖ（ｘ、ｙ）を標準信号感度Ｖｓｔと比較し、始めに、電極Ｅの位置Ｅ（ｐｘ、ｐｙ）から離れた特定の交点（ｘ、ｙ）の検出電圧Ｖ（ｘ、ｙ）を標準信号感度Ｖｓｔと比較して、標準信号感度Ｖｓｔを超える場合に、操作ノブ２を操作者が手に持っていない（正確には、操作ノブ２の後述する短絡電極２２に操作者の指が接していない）と判定し、標準信号感度Ｖｓｔ以下である場合に、操作ノブ２を操作者が手に持っている（正確には、操作ノブ２の後述する短絡電極２２に操作者の指が接している）と判定する。
【００５６】
続いて、いずれかの交点（ｘ、ｙ）についての検出電圧Ｖ（ｘ、ｙ）が標準信号感度Ｖｓｔ未満となる交点（ｘ、ｙ）の位置から操作ノブ２の電極Ｅの位置（ｐｘ、ｐｙ）を検出する。
【００５７】
操作ノブ２は、図２に示すように、円筒状のノブ本体２１と、ノブ本体２１の底面に沿って取り付けられる円板状の一組の電極Ｅ１、Ｅ２と、一組の電極Ｅ１、Ｅ２の上面に接続し、電極Ｅ１、Ｅ２間を電気接続する短絡電極２２とから構成されている。円筒状のノブ本体２１の中心軸周りの１８０度間隔で取り付けられる一組の電極Ｅ１、Ｅ２間の距離は、１２ｍｍ以上で、操作ノブ２を検出面３１上に配置した場合に、少なくとも６ｍｍの間隔で配線される３本の駆動電極Ｔｙ若しくは検出電極Ｒｘの上方を跨ぐ長さとなっている。各電極Ｅ１、Ｅ２は、検出面３１を介して駆動電極Ｔｙ及び／又は検出電極Ｒｘと鉛直方向で対向し、その間に静電容量ＣＥが形成される。駆動電極Ｔｙと検出電極Ｒｘの電極Ｅまでの距離はほぼ等しいので、ここでは電極Ｅと駆動電極Ｔｙ間の静電容量と、電極Ｅと検出電極Ｒｘ間の静電容量は同一の静電容量ＣＥで表す。交点（ｘ、ｙ）で交差する駆動電極Ｔｙと検出電極Ｒｘ間の距離は微少であるが、その間の対向面積も微少であるので、交点（ｘ、ｙ）の静電容量ＣＴＲと比較して、駆動電極Ｔｙ若しくは検出電極Ｒｘと電極Ｅとの対向面積が大きい静電容量ＣＥは無視できない大きさとなる。
【００５８】
短絡電極２２は、円筒状のノブ本体２１の上面に沿って被着された円環導電板２３と、ノブ本体２１を鉛直方向に貫通し、円環導電板２３を一組の電極Ｅ１、Ｅ２に電気接続させる一組のロッド電極２４Ａ、２４Ｂとからなっている。また、円環導電板２３は、更に、一組のロッド電極２４Ａ、２４Ｂとの接続部を両端として、それぞれ水平方向に対称形状の円環状に形成された一組のアーチ状導電板２３Ａ、２３Ｂを一体に組み合わせて形成される。各アーチ状導電板２３Ａ、２３Ｂは、中心軸から半径６ｍｍ以上の円筒状のノブ本体２１の上面に沿って被着されるので、いずれかのアーチ状導電板２３Ａ、２３Ｂは、操作ノブ２がその中心軸周りのいずれの角度で検出面３１上に配置されていても、少なくとも２本の駆動電極Ｔｙを跨ぎ、２本以上の駆動電極Ｔｙと鉛直方向で対向し、各駆動電極Ｔｙといずれかのアーチ状導電板２２Ａ、２２Ｂとの間に静電容量ＣＳが形成される。この静電容量ＣＳも、駆動電極Ｔｙとアーチ状導電板２３Ａ、２３Ｂとの対向面積が大きいので、交点（ｘ、ｙ）の静電容量ＣＴＲと比較して無視できない大きさとなる。
【００５９】
図２に示すように、一組のアーチ状導電板２２Ａ、２２Ｂからなる円環導電板２３は、操作ノブ２の上面の周囲全体に露出しているので、操作ノブ２を持って操作者が移動操作する場合には、操作者の指が触れる円環導電板２３とロッド電極２４Ａ、２４Ｂを介して一組の電極Ｅ１、Ｅ２は接地接続される。
【００６０】
尚、本実施の形態では、一組の電極Ｅ１、Ｅ２を円板状に形成したが、ロッド電極２４Ａ、２４と一体としたロッド状等の他の形状であってもよい。
【００６１】
以下、このタッチパネル入力装置１により、操作者が手に持って操作する操作ノブ２の入力位置と、検出面３１上に配置しただけの操作ノブ２の入力位置を検出する方法を、操作ノブ２のＸＹ方向に対する回転姿勢に分けて説明する。
【００６２】
Ａ．操作ノブ２の一組の電極Ｅ１、Ｅ２を結ぶ直線が、Ｘ方向若しくはＹ方向に対して傾斜している向きにある場合
図３（ａ）に示すように、一組の一方の電極Ｅ１の位置がＥ１（Ｐｘ１、Ｐｙ１）、他方の電極Ｅ２の位置がＥ２（Ｐｘ２、Ｐｙ２）であるとすると、Ｅ１（Ｐｘ１、Ｐｙ１）の近傍の交点（ｘ１、ｙ１）で交差する駆動電極Ｔｙ１及び検出電極Ｒｘ１と、Ｅ２（Ｐｘ２、Ｐｙ２）の近傍の交点（ｘ２、ｙ２）で交差する駆動電極Ｔｙ２及び検出電極Ｒｘ２とは互いに異なる電極となる。
【００６３】
Ａ１．操作ノブ２の短絡電極２２に操作者の指が触れていない場合
図４に示すように、電極Ｅ１の位置Ｅ１（Ｐｘ１、Ｐｙ１）の近傍の交点（ｘ１、ｙ１）を通過する駆動電極Ｔｙ１から流れる交流検出信号の電流Ｉｙ１の一部の電流ＩＴＲは、検出電極Ｒｘ１との間に形成される静電容量ＣＴＲを通して検出電極Ｒｘ１に流れる。また、駆動電極Ｔｙ１と電極Ｅ１との間と、電極Ｅ２と交点（ｘ２、ｙ２）を通過する駆動電極Ｔｙ２との間にそれぞれ静電容量ＣＥが形成されるので、駆動電極Ｔｙ１から流れる交流検出信号の電流Ｉｙ１の一部の電流ＩＥは、短絡電極２２と短絡電極２２で直列に接続される２つの静電容量ＣＥを通して、接地接続される駆動電極Ｔｙ２にも流れる。その結果、交点（ｘ１、ｙ１）について検出電極Ｒｘ１から検出される検出電圧Ｖ（ｘ１、ｙ１）は、標準信号感度Ｖｓｔ未満となる（図３（ｂ）で−で表示）。
【００６４】
同様に、電極Ｅ２の位置Ｅ２（Ｐｘ２、Ｐｙ２）の近傍の交点（ｘ２、ｙ２）を通過する駆動電極Ｔｙ２から流れる交流検出信号の電流Ｉｙ２の一部の電流ＩＥは、短絡電極２２と短絡電極２２で直列に接続される２つの静電容量ＣＥを通して、接地接続される駆動電極Ｔｙ１に流れ、交点（ｘ２、ｙ２）について検出電極Ｒｘ２から検出される検出電圧Ｖ（ｘ２、ｙ２）も標準信号感度Ｖｓｔ未満となる（図３（ｂ）で−で表示）。従って、マイコン４は、検出電圧Ｖ（ｘ、ｙ）が標準信号感度Ｖｓｔ未満となる交点（ｘ１、ｙ１）と交点（ｘ２、ｙ２）とから、操作ノブ２の一組の電極Ｅ１、Ｅ２の位置Ｅ１（Ｐｘ１、Ｐｙ１）、Ｅ２（Ｐｘ２、Ｐｙ２）を検出する。
【００６５】
また、操作ノブ２の短絡電極２２に操作者の指が触れていない場合には、電極Ｅ１の位置Ｅ１（Ｐｘ１、Ｐｙ１）の近傍に配線された検出電極Ｒｘ１と電極Ｅ２の位置Ｅ２（Ｐｘ２、Ｐｙ２）の近傍に配線された駆動電極Ｔｙ２間の静電容量Ｃｘ１ｙ２が、両者の交点（ｘ１、ｙ２）で検出電極Ｒｘ１と駆動電極Ｔｙ２が対向することにより形成される静電容量ＣＴＲから増加する。すなわち、図５に示すように、電極Ｅ２の位置Ｅ２（Ｐｘ２、Ｐｙ２）において、電極Ｅ２と駆動電極Ｔｙ２との間に静電容量ＣＥが形成されるとともに、電極Ｅ１の位置Ｅ１（Ｐｘ１、Ｐｙ１）において、電極Ｅ１と検出電極Ｒｘ１との間に静電容量ＣＥが形成され、両者は、短絡電極２２で直列に接続されるので、検出電極Ｒｘ１と駆動電極Ｔｙ２間の静電容量Ｃｘ１ｙ２は、上記静電容量ＣＴＲに、２つの静電容量ＣＥが直列に接続されることによる静電容量ＣＥ／２が加わって増加する。その結果、交点（ｘ１、ｙ２）について検出電極Ｒｘ１から検出される検出電圧Ｖ（ｘ１、ｙ２）が上昇し、標準信号感度Ｖｓｔを超えるレベルとなる（図３（ｂ）で＋で表示）。
【００６６】
同様に、電極Ｅ１の位置Ｅ２（Ｐｘ２、Ｐｙ２）の近傍に配線された検出電極Ｒｘ２と電極Ｅ１の位置Ｅ１（Ｐｘ１、Ｐｙ１）の近傍に配線された駆動電極Ｔｙ１間の静電容量Ｃｘ２ｙ１も、駆動電極Ｔｙ１と電極Ｅ１との間と、電極Ｅ２と検出電極Ｒｘ２の間に、短絡電極２２で直列に接続される静電容量ＣＥが形成されるので、検出電極Ｒｘ２と駆動電極Ｔｙ１間の静電容量Ｃｘ２ｙ１は、静電容量ＣＴＲに、２つの静電容量ＣＥが直列に接続されることによる静電容量ＣＥ／２が加わって増加する。その結果、交点（ｘ２、ｙ１）について検出電極Ｒｘ２から検出される検出電圧Ｖ（ｘ２、ｙ１）が上昇し、標準信号感度Ｖｓｔを超えるレベルとなる（図３（ｂ）で＋で表示）。従って、マイコン４は、交点（ｘ１、ｙ２）について検出される検出電圧Ｖ（ｘ１、ｙ２）又は交点（ｘ２、ｙ１）について検出される検出電圧Ｖ（ｘ２、ｙ１）のいずれかが標準信号感度Ｖｓｔを超える場合に、操作ノブ２に手が触れず検出面３１上に配置されているだけと判定する。
【００６７】
Ａ２．操作ノブ２の短絡電極２２に操作者の指が触れている場合
電極Ｅ１の位置Ｅ１（Ｐｘ１、Ｐｙ１）の近傍の交点（ｘ１、ｙ１）を通過する駆動電極Ｔｙ１から流れる交流検出信号の電流Ｉｙ１の一部は、電極Ｅ１に接続する短絡電極２２と短絡電極２２に触れる指を通して接地される操作者へ流れ、交点（ｘ１、ｙ１）について検出電極Ｒｘ１から検出される検出電圧Ｖ（ｘ１、ｙ１）は、標準信号感度Ｖｓｔ未満となる（図３（ｃ）で−で表示）。また、電極Ｅ２の位置Ｅ２（Ｐｘ２、Ｐｙ２）の近傍の交点（ｘ２、ｙ２）を通過する駆動電極Ｔｙ２から流れる交流検出信号の電流Ｉｙの一部も、電極Ｅ２に接続する短絡電極２２と短絡電極２２に触れる指を通して接地される操作者へ流れ、交点（ｘ２、ｙ２）について検出電極Ｒｘ２から検出される検出電圧Ｖ（ｘ２、ｙ２）も、標準信号感度Ｖｓｔ未満となる（図３（ｃ）で−で表示）。従って、マイコン４は、検出電圧Ｖ（ｘ、ｙ）が標準信号感度Ｖｓｔ未満となる交点（ｘ１、ｙ１）と交点（ｘ２、ｙ２）とから、操作ノブ２の一組の電極Ｅ１、Ｅ２の位置Ｅ１（Ｐｘ１、Ｐｙ１）、Ｅ２（Ｐｘ２、Ｐｙ２）を検出する。
【００６８】
また、操作ノブ２の短絡電極２２に操作者の指が触れている場合には、一組の各電極Ｅ１、Ｅ２が、短絡電極２２と操作者の指を介して接地されるので、各電極Ｅ１、Ｅ２と駆動電極Ｔｙ又は検出電極Ｒｘとの間に形成される静電容量ＣＥが、検出電極Ｒｘ１と駆動電極Ｔｙ２間の静電容量Ｃｘ１ｙ２や、検出電極Ｒｘ２と駆動電極Ｔｙ１間の静電容量Ｃｘ２ｙ１に加わることがなく、交点（ｘ１、ｙ２）について検出される検出電圧Ｖ（ｘ１、ｙ２）と交点（ｘ２、ｙ１）について検出される検出電圧Ｖ（ｘ２、ｙ１）のいずれかも標準信号感度Ｖｓｔ以下となり（図３（ｃ）で−若しくは無記号で表示）、マイコン４は、いずれかが標準信号感度Ｖｓｔ以下であることから操作ノブ２の短絡電極２２に操作者の指が触れていると判定する。
【００６９】
Ｂ．操作ノブ２の一組の一方の電極Ｅ１（ｐｘ３、ｐｙ３）と他方の電極Ｅ２（ｐｘ５、ｐｙ３）が同一の駆動電極Ｔｙ３の近傍にある場合
図６（ａ）に示すように、一組の一方の電極Ｅ１の位置がＥ１（Ｐｘ３、Ｐｙ３）、他方の電極Ｅ２の位置がＥ２（Ｐｘ５、Ｐｙ３）であるとすると、Ｅ１（Ｐｘ３、Ｐｙ３）の近傍の交点（ｘ３、ｙ３）で交差する駆動電極Ｔｙ３及び検出電極Ｒｘ３と、Ｅ２（Ｐｘ５、Ｐｙ３）の近傍の交点（ｘ５、ｙ３）で交差する駆動電極Ｔｙ３及び検出電極Ｒｘ５とは、駆動電極Ｔｙ３で共通する。
【００７０】
Ｂ１．操作ノブ２の短絡電極２２に操作者の指が触れていない場合
図７に示すように、電極Ｅ１の位置Ｅ１（Ｐｘ３、Ｐｙ３）の近傍の交点（ｘ３、ｙ３）を通過する駆動電極Ｔｙ３から流れる交流検出信号の電流Ｉｙ３の一部の電流ＩＴＲは、検出電極Ｒｘ３との間に形成される静電容量ＣＴＲを通して検出電極Ｒｘ３に流れる。また、駆動電極Ｔｙ３と電極Ｅ１との間と、電極Ｅ２と交点（ｘ５、ｙ３）を通過する検出電極Ｒｘ５との間にそれぞれ静電容量ＣＥが形成されるので、駆動電極Ｔｙ１から流れる交流検出信号の電流Ｉｙ３の一部の電流ＩＥは、短絡電極２２と短絡電極２２で直列に接続される２つの静電容量ＣＥを通して、接地接続される検出電極Ｒｘ５にも流れる。その結果、交点（ｘ３、ｙ３）について検出電極Ｒｘ３から検出される検出電圧Ｖ（ｘ３、ｙ３）は、標準信号感度Ｖｓｔ未満となる（図６（ｂ）で−で表示）。
【００７１】
同様に、電極Ｅ２の位置Ｅ２（Ｐｘ５、Ｐｙ３）の近傍の交点（ｘ５、ｙ３）を通過する駆動電極Ｔｙ３から流れる交流検出信号の電流Ｉｙ３の一部の電流ＩＥは、短絡電極２２と短絡電極２２で直列に接続される２つの静電容量ＣＥを通して、接地接続される検出電極Ｒｘ３に流れ、交点（ｘ５、ｙ３）について検出電極Ｒｘ５から検出される検出電圧Ｖ（ｘ５、ｙ３）も標準信号感度Ｖｓｔ未満となる（図６（ｂ）で−で表示）。従って、マイコン４は、検出電圧Ｖ（ｘ、ｙ）が標準信号感度Ｖｓｔ未満となる交点（ｘ３、ｙ３）と交点（ｘ５、ｙ３）とから、操作ノブ２の一組の電極Ｅ１、Ｅ２の位置Ｅ１（Ｐｘ３、Ｐｙ３）、Ｅ２（Ｐｘ５、Ｐｙ３）を検出する。
【００７２】
また、操作ノブ２の短絡電極２２に操作者の指が触れていない場合には、電極Ｅ１の位置Ｅ１（Ｐｘ３、Ｐｙ３）と電極Ｅ２の位置Ｅ２（Ｐｘ５、Ｐｙ３）の中間近傍の交点（ｘ４、ｙ３）で交差する検出電極Ｒｘ４と駆動電極Ｔｙ３間の静電容量Ｃｘ４ｙ３が、交点（ｘ４、ｙ３）で検出電極Ｒｘ４と駆動電極Ｔｙ３が対向することにより形成される静電容量ＣＴＲから増加する。すなわち、図８に示すように、電極Ｅ１の位置Ｅ１（Ｐｘ３、Ｐｙ３）と電極Ｅ２の位置Ｅ２（Ｐｘ５、Ｐｙ３）において、電極Ｅ１、Ｅ２と駆動電極Ｔｙ３との間に静電容量ＣＥが形成されるとともに、鉛直方向でアーチ状導電板２３Ａ、２３Ｂと検出電極Ｒｘ４が対向する各位置で、アーチ状導電板２３Ａ、２３Ｂと検出電極Ｒｘ４の間に静電容量ＣＡが形成され、上記二組の静電容量ＣＥと静電容量ＣＡは、それぞれ駆動電極Ｔｙ３と検出電極Ｒｘ４の間に直列に接続されるので、検出電極Ｒｘ４と駆動電極Ｔｙ３間の静電容量Ｃｘ４ｙ３は、上記静電容量ＣＴＲに、二組の直列に接続された静電容量ＣＥと静電容量ＣＡが並列に接続されることによる静電容量２ＣＥ・ＣＡ／（ＣＥ＋ＣＡ）が加わって増加する。その結果、交点（ｘ４、ｙ３）について検出電極Ｒｘ４から検出される検出電圧Ｖ（ｘ４、ｙ３）が上昇し、標準信号感度Ｖｓｔを超えるレベルとなる（図６（ｂ）で＋で表示）。従って、マイコン４は、上記検出した一組の電極Ｅ１、Ｅ２の位置Ｅ１（Ｐｘ３、Ｐｙ３）、Ｅ２（Ｐｘ５、Ｐｙ３）の中間近傍の交点（ｘ４、ｙ３）について検出される検出電圧Ｖ（ｘ４、ｙ３）が標準信号感度Ｖｓｔを超える場合に、操作ノブ２に手が触れず検出面３１上に配置されているだけと判定する。
【００７３】
Ｂ２．操作ノブ２の短絡電極２２に操作者の指が触れている場合
電極Ｅ１の位置Ｅ１（Ｐｘ３、Ｐｙ３）の近傍の交点（ｘ３、ｙ３）を通過する駆動電極Ｔｙ３から流れる交流検出信号の電流Ｉｙ１の一部は、電極Ｅ１に接続する短絡電極２２と短絡電極２２に触れる指を通して接地される操作者へ流れ、交点（ｘ３、ｙ３）について検出電極Ｒｘ３から検出される検出電圧Ｖ（ｘ３、ｙ３）は、標準信号感度Ｖｓｔ未満となる（図６（ｃ）で−で表示）。また、電極Ｅ２の位置Ｅ２（Ｐｘ５、Ｐｙ３）の近傍の交点（ｘ５、ｙ３）を通過する駆動電極Ｔｙ３から流れる交流検出信号の電流Ｉｙ３の一部も、電極Ｅ２に接続する短絡電極２２と短絡電極２２に触れる指を通して接地される操作者へ流れ、交点（ｘ５、ｙ３）について検出電極Ｒｘ５から検出される検出電圧Ｖ（ｘ５、ｙ３）も、標準信号感度Ｖｓｔ未満となる（図６（ｃ）で−で表示）。従って、マイコン４は、検出電圧Ｖ（ｘ、ｙ）が標準信号感度Ｖｓｔ未満となる交点（ｘ３、ｙ３）と交点（ｘ５、ｙ３）の位置から、操作ノブ２の一組の電極Ｅ１、Ｅ２の位置Ｅ１（Ｐｘ３、Ｐｙ３）、Ｅ２（Ｐｘ５、Ｐｙ３）を検出する。
【００７４】
また、操作ノブ２の短絡電極２２に操作者の指が触れている場合には、一組の各電極Ｅ１、Ｅ２が、短絡電極２２と操作者の指を介して接地されるので、各電極Ｅ１、Ｅ２と駆動電極Ｔｙ又は検出電極Ｒｘとの間に形成される静電容量ＣＥが、駆動電極Ｔｙ３と検出電極Ｒｘ４間の静電容量Ｃｘ４ｙ３に加わることがなく、交点（ｘ４、ｙ３）について検出される検出電圧Ｖ（ｘ４、ｙ３）は標準信号感度Ｖｓｔ以下となり（図６（ｃ）で無記号で表示）、マイコン４は、操作ノブ２の短絡電極２２に操作者の指が触れていると判定する。
【００７５】
Ｃ．操作ノブ２の一組の一方の電極Ｅ１（ｐｘ６、ｐｙ４）と他方の電極Ｅ２（ｐｘ６、ｐｙ６）が同一の検出電極Ｒｘ６の近傍にある場合
図９（ａ）に示すように、一組の一方の電極Ｅ１の位置がＥ１（Ｐｘ６、Ｐｙ４）、他方の電極Ｅ２の位置がＥ２（Ｐｘ６、Ｐｙ６）であるとすると、Ｅ１（Ｐｘ６、Ｐｙ４）の近傍の交点（ｘ６、ｙ４）で交差する駆動電極Ｔｙ４及び検出電極Ｒｘ６と、Ｅ２（Ｐｘ６、Ｐｙ６）の近傍の交点（ｘ６、ｙ６）で交差する駆動電極Ｔｙ６及び検出電極Ｒｘ６とは、検出電極Ｒｘ６で共通する。
【００７６】
Ｃ１．操作ノブ２の短絡電極２２に操作者の指が触れていない場合
図１０に示すように、電極Ｅ１の位置Ｅ１（Ｐｘ６、Ｐｙ４）の近傍の交点（ｘ６、ｙ４）を通過する駆動電極Ｔｙ４から流れる交流検出信号の電流Ｉｙ４の一部の電流ＩＴＲは、検出電極Ｒｘ６との間に形成される静電容量ＣＴＲを通して検出電極Ｒｘ６に流れる。また、駆動電極Ｔｙ４と電極Ｅ１との間と、電極Ｅ２と交点（ｘ６、ｙ６）を通過する駆動電極Ｔｙ６との間にそれぞれ静電容量ＣＥが形成されるので、駆動電極Ｔｙ４から流れる交流検出信号の電流Ｉｙ４の一部の電流ＩＥは、短絡電極２２と短絡電極２２で直列に接続される２つの静電容量ＣＥを通して、接地接続される駆動電極Ｔｙ６にも流れる。その結果、交点（ｘ６、ｙ４）について検出電極Ｒｘ６から検出される検出電圧Ｖ（ｘ６、ｙ４）は、標準信号感度Ｖｓｔ未満となる（図９（ｂ）で−で表示）。
【００７７】
同様に、電極Ｅ２の位置Ｅ２（Ｐｘ６、Ｐｙ６）の近傍の交点（ｘ６、ｙ６）を通過する駆動電極Ｔｙ６から流れる交流検出信号の電流Ｉｙ６の一部の電流ＩＥは、短絡電極２２と短絡電極２２で直列に接続される２つの静電容量ＣＥを通して、接地接続される駆動電極Ｔｙ４に流れ、交点（ｘ６、ｙ６）について検出電極Ｒｘ６から検出される検出電圧Ｖ（ｘ６、ｙ６）も標準信号感度Ｖｓｔ未満となる（図９（ｂ）で−で表示）。従って、マイコン４は、検出電圧Ｖ（ｘ、ｙ）が標準信号感度Ｖｓｔ未満となる交点（ｘ６、ｙ４）と交点（ｘ６、ｙ６）の各位置から、操作ノブ２の一組の電極Ｅ１、Ｅ２の位置Ｅ１（Ｐｘ６、Ｐｙ４）、Ｅ２（Ｐｘ６、Ｐｙ６）を検出する。
【００７８】
また、操作ノブ２の短絡電極２２に操作者の指が触れていない場合には、電極Ｅ１の位置Ｅ１（Ｐｘ６、Ｐｙ４）と電極Ｅ２の位置Ｅ２（Ｐｘ６、Ｐｙ６）の中間近傍の交点（ｘ６、ｙ５）で交差する検出電極Ｒｘ６と駆動電極Ｔｙ５間の静電容量Ｃｘ６ｙ５が、交点（ｘ６、ｙ５）で検出電極Ｒｘ６と駆動電極Ｔｙ５が対向することにより形成される静電容量ＣＴＲから増加する。すなわち、図１１に示すように、鉛直方向で駆動電極Ｔｙ３がアーチ状導電板２３Ａ、２３Ｂにそれぞれ対向する各位置で、駆動電極Ｔｙ３とアーチ状導電板２３Ａ、２３Ｂとの間に静電容量ＣＡが形成されるとともに、電極Ｅ１の位置Ｅ１（Ｐｘ６、Ｐｙ４）と電極Ｅ２の位置Ｅ２（Ｐｘ６、Ｐｙ６）において、アーチ状導電板２３Ａ、２３Ｂに電気接続する電極Ｅ１、Ｅ２と検出電極Ｒｘ６との間に静電容量ＣＥが形成され、上記二組の静電容量ＣＥと静電容量ＣＡは、それぞれ駆動電極Ｔｙ５と検出電極Ｒｘ６の間に直列に接続されるので、検出電極Ｒｘ６と駆動電極Ｔｙ５間の静電容量Ｃｘ６ｙ５は、上記静電容量ＣＴＲに、二組の直列に接続された静電容量ＣＥと静電容量ＣＡが並列に接続されることによる静電容量２ＣＥ・ＣＡ／（ＣＥ＋ＣＡ）が加わって増加する。その結果、交点（ｘ６、ｙ５）について検出電極Ｒｘ６から検出される検出電圧Ｖ（ｘ６、ｙ５）は上昇し、標準信号感度Ｖｓｔを超えるレベルとなる（図９（ｂ）で＋で表示）。従って、マイコン４は、上記検出した一組の電極Ｅ１、Ｅ２の位置Ｅ１（Ｐｘ６、Ｐｙ４）、Ｅ２（Ｐｘ６、Ｐｙ６）の中間近傍の交点（ｘ６、ｙ５）について検出される検出電圧Ｖ（ｘ６、ｙ５）が標準信号感度Ｖｓｔを超える場合に、操作ノブ２に手が触れず検出面３１上に配置されているだけと判定する。
【００７９】
Ｃ２．操作ノブ２の短絡電極２２に操作者の指が触れている場合
電極Ｅ１の位置Ｅ１（Ｐｘ６、Ｐｙ４）の近傍の交点（ｘ６、ｙ４）を通過する駆動電極Ｔｙ４から流れる交流検出信号の電流Ｉｙ４の一部は、電極Ｅ１に接続する短絡電極２２と短絡電極２２に触れる指を通して接地される操作者へ流れ、交点（ｘ６、ｙ４）について検出電極Ｒｘ６から検出される検出電圧Ｖ（ｘ６、ｙ４）は、標準信号感度Ｖｓｔ未満となる（図９（ｃ）で−で表示）。また、電極Ｅ２の位置Ｅ２（Ｐｘ６、Ｐｙ６）の近傍の交点（ｘ６、ｙ６）を通過する駆動電極Ｔｙ６から流れる交流検出信号の電流Ｉｙ６の一部も、電極Ｅ２に接続する短絡電極２２と短絡電極２２に触れる指を通して接地される操作者へ流れ、交点（ｘ６、ｙ６）について検出電極Ｒｘ６から検出される検出電圧Ｖ（ｘ６、ｙ６）も、標準信号感度Ｖｓｔ未満となる（図９（ｃ）で−で表示）。従って、マイコン４は、検出電圧Ｖ（ｘ、ｙ）が標準信号感度Ｖｓｔ未満となる交点（ｘ６、ｙ４）と交点（ｘ６、ｙ６）の位置から、操作ノブ２の一組の電極Ｅ１、Ｅ２の位置Ｅ１（Ｐｘ６、Ｐｙ４）、Ｅ２（Ｐｘ６、Ｐｙ６）を検出する。
【００８０】
また、操作ノブ２の短絡電極２２に操作者の指が触れている場合には、一組の各電極Ｅ１、Ｅ２が、短絡電極２２と操作者の指を介して接地されるので、各電極Ｅ１、Ｅ２と駆動電極Ｔｙ又は検出電極Ｒｘとの間に形成される静電容量ＣＥが、駆動電極Ｔｙ５と検出電極Ｒｘ６間の静電容量Ｃｘ６ｙ５に加わることがなく、交点（６４、ｙ５）について検出される検出電圧Ｖ（ｘ６、ｙ５）は標準信号感度Ｖｓｔ以下となり（図９（ｃ）で−で表示）、マイコン４は、操作ノブ２の短絡電極２２に操作者の指が触れていると判定する。
【００８１】
以下、上述のタッチパネル入力装置１を用いて、操作者が操作ノブ２を持っているか否かの判定とともに、操作ノブの入力位置を検出するタッチパネルの入力操作検出方法を、図１２と図１３に沿って説明する。
【００８２】
入力位置を検出する前に、検出面３１上から操作ノブ２を取り除いた状態で、任意の交点（ｘ、ｙ）で駆動電極Ｔｙと検出電極Ｒｘ間に形成される静電容量ＣＴＲを通過して検出電極Ｒｘに表れる検出電圧Ｖ（ｘ、ｙ）を標準信号感度Ｖｓｔとして記憶部４２へ記憶しておく初期設定を行っておく（ステップＳ１）。この標準信号感度Ｖｓｔは、交点（ｘ、ｙ）に操作ノブ２の電極Ｅが接近していない状態で、その交点（ｘ、ｙ）を通過する検出電極Ｒｘから検出される検出電圧Ｖ（ｘ、ｙ）である。
【００８３】
操作ノブ２の入力位置を検出する際には、初めに、自然数とするｙを１とし（ステップＳ２）、駆動電極Ｔ１に交流検出信号を出力し（ステップＳ３）、自然数とするｘを１とし（ステップＳ４）、交点（１、１）を通過する検出電極Ｒ１から検出される検出電圧Ｖ（１、１）を記憶部４２に記憶する（ステップＳ５）。
【００８４】
次に、ステップＳ６でインクリメントしたｘを検出電極Ｒｘの総本数ｊと比較し（ステップＳ７）、交流検出信号を出力している駆動電極Ｔ１に交差する全ての検出電極Ｒｘから検出される検出電圧Ｖ（１、ｘ）を記憶部４２に記憶するまでステップＳ３からステップＳ７の処理を繰り返した後、ｙをインクリメントして（ステップＳ８）、次の駆動電極Ｔｙに交流検出信号を出力し、テップＳ８でインクリメントしたｙを駆動電極Ｔｙの総本数ｉと比較し（ステップＳ９）、検出面３１上のｉｘｊの全ての交点（ｘ、ｙ）について検出される検出電圧Ｖ（ｘ、ｙ）を記憶部４２に記憶するまでステップＳ３からステップＳ９の処理を繰り返し、タッチパネルの１回の走査が完了する。
【００８５】
ステップＳ９までの走査が完了した後、マイコン４は、ｉｘｊの全ての交点（ｘ、ｙ）について検出される検出電圧Ｖ（ｘ、ｙ）を記憶部４２から読み出し、標準信号感度Ｖｓｔと比較して、検出電圧Ｖ（ｘ、ｙ）が標準信号感度Ｖｓｔ未満となる交点（ｘ、ｙ）の位置から、一組の一方の電極Ｅ１の第１位置Ｅ１（ｐｘ１、ｐｙ１）と、他方の電極Ｅ２の第２位置Ｅ２（ｐｘ２、ｐｙ２）を検出する（ステップＳ１０）。上述の通り、操作ノブ２の短絡電極２２に操作者の指が触れているか否かにかかわらず、少なくとも一組の電極Ｅ１、Ｅ２の近傍の各交点（ｘ、ｙ）で検出電圧Ｖ（ｘ、ｙ）が標準信号感度Ｖｓｔ未満となる。一方、一般に電極Ｅの位置では、隣り合う複数の各交点（ｘ、ｙ）についての検出電圧Ｖ（ｘ、ｙ）が標準信号感度Ｖｓｔ未満となるのでその加重平均わ算定したり、最低の検出電圧Ｖ（ｘ、ｙ）を検出した交点（ｘ、ｙ）の位置から電極Ｅの位置Ｅ（ｐｘ、ｐｙ）を求める。
【００８６】
続いて、ステップＳ１０で求めた一方の電極Ｅ１の第１位置Ｅ１（ｐｘ１、ｐｙ１）と、他方の電極Ｅ２の第２位置Ｅ２（ｐｘ２、ｐｙ２）が同一の検出電極Ｒｘ若しくは駆動電極Ｔｙの近傍にあるか否かを判定し（ステップＳ１１）、第１位置Ｅ１（ｐｘ１、ｐｙ１）と第２位置Ｅ２（ｐｘ２、ｐｙ２）を結ぶ直線がＸ方向若しくはＹ方向に平行ではなく、検出電極Ｒｘ若しくは駆動電極Ｔｙに沿っていない場合には、ステップＳ１２に進み、第１位置Ｅ１（ｐｘ１、ｐｙ１）の近傍に配線された駆動電極Ｔｐｙ１と、第２位置Ｅ２（ｐｘ２、ｐｙ２）の近傍に配線された検出電極Ｒｐｘ２との交点（ｐｘ２、ｐｙ１）について検出された検出電圧Ｖ（ｐｘ２、ｐｙ１）又は第１位置Ｅ１（ｐｘ１、ｐｙ１）の近傍に配線された検出電極Ｒｐｘ１と、第２位置Ｅ２（ｐｘ２、ｐｙ２）の近傍に配線された駆動電極Ｔｐｙ２との交点（ｐｘ１、ｐｙ２）について検出された検出電圧Ｖ（ｐｘ１、ｐｙ２）を標準信号感度Ｖｓｔと比較する。
【００８７】
上述のように、検出電圧Ｖ（ｐｘ２、ｐｙ１）と検出電圧Ｖ（ｐｘ１、ｐｙ２）のいずれかが標準信号感度Ｖｓｔを越えている場合には、操作ノブ２に操作者の指が触れていないと判定できるので、ステップＳ１４に進み、電極Ｅ１の第１位置Ｅ１（ｐｘ１、ｐｙ１）と電極Ｅ２の第２位置Ｅ２（ｐｘ２、ｐｙ２）とから得る操作ノブ２の位置を、操作者が指を触れていない操作ノブ２の入力位置として検出する。
【００８８】
一方、ステップＳ１２において、検出電圧Ｖ（ｐｘ２、ｐｙ１）と検出電圧Ｖ（ｐｘ１、ｐｙ２）のいずれも標準信号感度Ｖｓｔ以下である場合には、操作ノブ２に操作者の指が触れていると判定できるので、ステップＳ１５に進み、電極Ｅ１の第１位置Ｅ１（ｐｘ１、ｐｙ１）と電極Ｅ２の第２位置Ｅ２（ｐｘ２、ｐｙ２）とから得る操作ノブ２の位置を、操作者が手に持って操作する操作ノブ２の入力位置として検出する。
【００８９】
また、ステップＳ１１において、第１位置Ｅ１（ｐｘ１、ｐｙ１）と第２位置Ｅ２（ｐｘ２、ｐｙ２）を結ぶ直線がＸ方向若しくはＹ方向に平行で、共通の検出電極Ｒｘ若しくは駆動電極Ｔｙの近傍にある場合には、ステップＳ１３に進み、第１位置Ｅ１（ｐｘ１、ｐｙ１）と第２位置Ｅ２（ｐｘ２、ｐｙ２）の中間付近にある任意の交点（ｘ、ｙ）について検出された検出電圧Ｖ（ｘ、ｙ）を標準信号感度Ｖｓｔと比較する。上述のように、その検出電圧Ｖ（ｘ、ｙ）が標準信号感度Ｖｓｔを越えている場合には、操作ノブ２に操作者の指が触れていないと判定できるので、ステップＳ１４に進み、電極Ｅ１の第１位置Ｅ１（ｐｘ１、ｐｙ１）と電極Ｅ２の第２位置Ｅ２（ｐｘ２、ｐｙ２）とから得る操作ノブ２の位置を、操作者が指を触れていない操作ノブ２の入力位置として検出する。
【００９０】
一方、ステップＳ１３において、電極Ｅ１、Ｅ２の中間付近の交点（ｘ、ｙ）について検出された検出電圧Ｖ（ｘ、ｙ）が標準信号感度Ｖｓｔ以下である場合には、操作ノブ２に操作者の指が触れていると判定できるので、ステップＳ１５に進み、電極Ｅ１の第１位置Ｅ１（ｐｘ１、ｐｙ１）と電極Ｅ２の第２位置Ｅ２（ｐｘ２、ｐｙ２）とから得る操作ノブ２の位置を、操作者が手に持って操作する操作ノブ２の入力位置として検出する。
【００９１】
上述の実施の形態では、操作ノブ２に一組の電極Ｅ１、Ｅ２が取り付けられている例で説明したが、３以上の電極Ｅがノブ本体の底面に取り付けられ、少なくともその内の２つの電極Ｅ１、Ｅ２が短絡電極２２で電気接続されるものであってもよく、また、一組のＥ１、Ｅ２と短絡電極２２が一体に形成されるものであってもよい。
【００９２】
また、短絡電極２２に対称形状のアーチ状導電板２３Ａ、２３Ｂを一体とした円環導電板を形成しているが、一組の電極Ｅ１、Ｅ２の鉛直方向の上方から水平方向にアーチ状で、検出面に３１に投影させた形状が、検出面３１に沿って配線される複数の駆動電極Ｔｙを跨ぐ形状に形成されたアーチ状導電板が短絡電極２２に設けられていればよく、更に、操作ノブ２の短絡電極２２に作者の指が触れているか否かを判定する必要がなければ、アーチ状導電板を設ける必要もない。
【００９３】
また、上述の実施の形態では、電圧検出回路４１に接続させる検出電極Ｒｘ以外の検出電極Ｒｘを低インピーダンスとして接地させているが、全ての検出電極Ｒｘの出力をハイインピーダンスとしてもよい。
【産業上の利用可能性】
【００９４】
本発明は、操作ノブを投影型静電容量式タッチパネルの検出面上の所定位置に配置して入力操作を行うタッチパネル入力装置及びタッチパネルの入力操作検出方法に適している。
【符号の説明】
【００９５】
１  タッチパネル入力装置
２  操作ノブ
２１  ノブ本体
Ｅ１、Ｅ２  一組の電極
２２  短絡電極
２３  円環導電板
２３Ａ、２３Ｂ  アーチ状導電板
３  投影型静電容量式タッチパネル
３１  検出面